(57)【要約】  フックおよびアイを備えたフックアイ留め具。フックはフック頂板およびフック底板を有し、フック底板は、頂板に向かって湾曲し次いで頂板から離れて湾曲している折れ曲り端部を備えている。折れ曲り端部はばね付勢されてフック頂板に置かれている。アイは、フック頂板を受入れるための開口を形成するアイ頂板およびアイ底板を有している。フックが最初にアイに挿入されるとき、アイ頂板は、フック底板の折れ曲り端部に抗してこれを押上げる。折れ曲り端部がアイ頂板を通ってスライドし、フックがアイに完全に挿入された後に、フック底板の折れ曲り端部は下に跳ね戻ってフック頂板に抗し、留め具が固定されたことを知らせる可聴音を発生させる。【選択図】図１
2011505913.tif 000002
【特許請求の範囲】
【請求項１】
フックアイシステムであって、
前記フックアイシステムはフックを有し、
前記フックは、フック頂板と、フック底板とを備え、
前記フック頂板およびフック底板の一方は折れ曲り端部を有し、前記折れ曲り端部は前記フック底板またはフック頂板の他方に向かって湾曲し、次いで前記他方の板から離れて湾曲し、前記他方の板に抗してばね付勢されており、
前記フックは前記頂板および底板を結合する丸い部分を更に備え、
前記フックアイシステムは、アイを有し、前記アイは、前記フック頂板を受入れるための開口を形成するアイ頂板およびアイ底板を備え、
前記折れ曲り端部の傾斜は、前記フックが最初に前記アイに挿入されるときに、前記アイ頂板が前記フック底板を押上げるようにかつ前記フック頂板を押下げるようにさせ、前記折れ曲り端部が前記アイ頂板を通ってスライドしたときに、一旦前記フックが完全に前記アイに挿入されると、前記折れ曲り端部は下に跳ね戻り、前記フック頂板に抗する、
ことを特徴とするフックアイシステム。
【請求項２】
前記フック底板の折れ曲り端部が下に跳ね戻り前記フック頂板に抗するときに可聴音が発生し、留め具が固定されたことを使用者に知らせる、請求項１に記載のフックアイシステム。
【請求項３】
前記フック底板および前記フック頂板を広げて前記アイから前記フックを解放するためには、前記折れ曲り端部および前記フック頂板の端部を前記アイ頂板に押付ける意図的な手の力を加える必要がある、請求項２に記載のフックアイシステム。
【請求項４】
前記フック底板は、突出するマウントを更に有し、前記マウントには、アイレットすなわちポストを受入れるための開口が形成されている、請求項１に記載のフックアイシステム。
【請求項５】
前記アイ底板には、他のアイレットまたは他のポストを受入れるための他の開口が形成されている、請求項１に記載のフックアイシステム。
【請求項６】
装飾品およびアパレルを更に含み、前記フックが前記装飾品およびアパレルの一方に固定され、前記アイが前記装飾品およびアパレルの他方に固定される、請求項１に記載のフックアイシステム。
【請求項７】
前記装飾品はジュエリーであり、前記アパレルは靴である、請求項６に記載のフックアイシステム。
【発明の詳細な説明】
【技術分野】
【０００１】
本発明は、フックアイ留め具に関する。
【背景技術】
【０００２】
フックアイ留め具は、対応するループに挿入される小さいフックを有している。フックアイ留め具は、ブラジャーまたはパンツのウエストバンドの両端部等の織物および衣類を、一方向のみに張力を付与して留めるのに伝統的に使用されている。
【発明の概要】
【０００３】
本発明の一実施形態では、フックアイ留め具は、フックおよびアイを有している。フックはフック頂板およびフック底板を有し、フック底板は、頂板に向かって湾曲しかつ次に頂板から離れる方向に湾曲する折れ曲り端部を備えている。折れ曲り端部はばね付勢されてフック頂板に置かれている。アイは、フック頂板を受入れるための開口を形成するアイ頂板およびアイ底板を有している。フックが最初にアイに挿入されるとき、アイ頂板は、フック底板の折れ曲り端部に抗してこれを押し上げる。折れ曲り端部がアイ頂板を通ってスライドし、フックがアイに完全に挿入された後に、フック底板の折れ曲り端部は跳ね戻ってフック頂板に抗し、留め具が固定されたことを知らせる可聴音を発生させる。
【図面の簡単な説明】
【０００４】
【図１】本発明の一実施形態によるフックアイ留め具を示す。
【図２】本発明の一実施形態の図１の留め具のフックの上面図である。
【図３】本発明の一実施形態の図１の留め具のアイの底面図である。
【図４】本発明の一実施形態の図１の留め具のアイ内へのフックの挿入を示す。
【図５】本発明の一実施形態の図１の留め具のアイ内へのフックの挿入を示す。
【発明を実施するための形態】
【０００５】
種々の図面において、同様または同一の要素には同じ参照番号が使用されている。
【０００６】
図１は、本発明の一実施形態における、フック１０２およびアイ１０４を備えたフックアイ留め具１００を示す。フック１０２は、全体として「Ｕ」形に似た形状を有し、丸い部分１１０により結合されたフック底板１０６およびフック頂板１０８を有している。フック底板１０６およびフック頂板１０８は、典型的には、同じ長さを有している。
【０００７】
フック底板１０６は、該フック底板１０６から外方に突出している選択的なマウント１１２を有している。マウント１１２には、フック１０２を織物または他の材料に固定するためのアイレットすなわちポスト（支柱）２００を受入れるための開口１１４が形成されている。マウント１１２の代わりに、フック１０２は、接着および溶着を含む他の方法により他の物品に固定することができる。
【０００８】
一実施形態では、フック底板１０６は、フック頂板１０８に向かって湾曲し、次いでフック頂板１０８から離れて湾曲する「Ｖ」形または「Ｕ」形の折れ曲り端部（kinked end）１１６を有している。折れ曲り端部１１６は、ばね付勢されてフック頂板１０８に抗して置かれている。折れ曲り端部１１６は、典型的には、鈍い丸縁部を有している。他の実施形態では、フック底板１０６に抗して置かれるようにばね付勢された折れ曲り端部１１６が、フック頂板１０８に設けられる。
【０００９】
一般にひさし（bill）と呼ばれているフック頂板１０８は、アイ１０４に挿入される端部１１８を有している。図２を参照すると、フック頂板１０８には開口１２０が形成されており、これにより、ツール（ダイ）によってアイレットすなわちポスト２００の中空シャンク２０２を塑性変形させ、フック底板１０６を織物または他の材料に固定することが可能になる。前述のように、フック底板１０６の折れ曲り端部１１６は、フック頂板１０８に抗してばね付勢されている。
【００１０】
図１および図３を参照すると、アイ１０４はアイ底板１２２およびアイ頂板１２４を有し、これらのアイ底板１２２およびアイ頂板１２４は、両側が側壁１２６により結合されており、フック頂板１０８を両端部で受入れるための開口１２８を形成している。アイ底板１２２には、アイ１０４を織物および他の材料に固定すべくアイレットすなわちポスト２００を受入れるための開口１３０が形成されている。アイ頂板１２４には開口１３２が形成されており、これにより、ツール（ダイ）によってアイレットすなわちポスト２００の中空シャンク２０２を塑性変形させ、アイ底板１２２を織物または他の材料に固定することが可能になる。
【００１１】
図４および図５は、アイ１０４内へのフック１０２の挿入を示す。フック１０２が開口１２８に挿入されるとき、フック底板１０６の折れ曲り端部１１６およびフック頂板１０８の端部１１８がアイ頂板１２４の先縁部に当接する。フック１０２がアイ１０４に更に挿入されると、折れ曲り端部１１６が傾斜しているため、アイ頂板１２４の先縁部がフック底板１０６を押上げかつフック頂板１０８を押下げて、フック１０２をアイ１０４内にスライドできるようにする。折れ曲り端部１１６がばね付勢されているため、該折れ曲り端部１１６がアイ頂板１２４を通ってスライドしかつフック１０２がアイ１０４に完全に挿入された後に、折れ曲り端部１１６が下に跳ね戻ってフック頂板１０８に抗する。この跳ね戻りにより、留め具１００が固定されたことを使用者に知らせる可聴音（例えば、「ポン」または「カチッ」という音）が発生する。
【００１２】
ひとたび完全に挿入されたとき、折れ曲り端部１１６の形状は、フック１０２およびアイ１０４が意図せずに外れてしまうことを防止する。より詳しくは、フック底板１０６およびフック頂板１０８を拡げてアイ１０４からフック１０２を解放するには、折れ曲り端部１１６および端部１１８をアイ頂板１２４の反対側の先縁部に押付ける意図的な手の力を加える必要がある。これにより、フックおよびアイが外れないようにするには留められている物品（例えば、ブラジャーまたはウエストバンドの両端部）に張力（一方向のみの張力）を加える必要があるために、これまでは従来のフックアイ留め具を使用できない物品にもフックアイ留め具を使用することが可能になる。
【００１３】
フックアイ留め具１００は多くの用途を有している。一実施形態では、フックアイ留め具１００は、ジュエリー、プラッシュのおもちゃ（ぬいぐるみ）または他の装飾品を靴または他の衣類アパレルに取付けるのに使用される。フック１０２は装飾品に固定され、アイは靴または他の衣類アパレルに固定でき、またはこれとは逆にしてもよい。
【００１４】
開示した実施形態の特徴の種々の他の適用および組合せも本発明の範囲内にある。多数の実施形態が特許請求の範囲内に包含される。
【図１】
2011505913.tif 000003
【図２】
2011505913.tif 000004
【図３】
2011505913.tif 000005
【図４】
2011505913.tif 000006
【図５】
2011505913.tif 000007
【国際調査報告】
2011505913.tif 000008
2011505913.tif 000009